(57)【特許請求の範囲】
【請求項１】
床に設置され、洗濯機の給水ホースに接続される水道用コンセントの流量調整遠隔操作機構であって、前記水道用コンセントは、流入口と流出口と栓棒を備えた弁ユニットとを有する水栓本体と、前記流出口に設けられて前記各給水ホースが接続される給水用継手と、前記栓棒に接続されこの栓棒を回動して給水流量の調整ならびに止水を行うための流量調整部材とを備え、更に、この流量調整部材を遠隔操作するための遠隔操作部材を前記水道用コンセントとは別の位置に設けるとともに、前記流量調整部材と前記遠隔操作部材をワイヤで連動連結してあることを特徴とする水道用コンセントの流量調整遠隔操作機構。
【請求項２】
前記遠隔操作部材を洗濯機が設置される壁に取り付けてある一方、中央に前記流量調整部材の後端基部が嵌合可能に装着される嵌合穴を有する水道用コンセント用リールと、中央に前記遠隔操作部材の後端基部が嵌合可能に装着される嵌合穴を有する遠隔操作部材用のリールと、この遠隔操作部材用リールと前記水道用コンセント用リールを繋ぐワイヤと、水道用コンセント用リールの前記嵌合穴に連通する前方開口を有し、前記流量調整部材の回動操作に伴って前記水道用コンセント用リールが前記栓棒の軸芯に一致する前記嵌合穴の中心軸まわりに回動するのを支持する水道用コンセント用支持板と、遠隔操作部材用リールの前記嵌合穴に連通する前方開口を有し、前記遠隔操作用部材の回動操作に伴って前記遠隔操作部材用リールが前記嵌合穴の中心軸まわりに回動するのを支持する遠隔操作部材用支持板とを備え、しかも、前記水道用コンセント用支持板は、水道用コンセント用リールの前記嵌合穴に連通可能な位置に前記栓棒の前端部が挿通可能な後方開口を有する請求項１に記載の水道用コンセントの流量調整遠隔操作機構。
【発明の詳細な説明】
【０００１】
【発明の属する技術分野】
この発明は、床に設置された水道用コンセントの流量調整遠隔操作機構に関するものである。
【０００２】
【従来の技術および発明が解決しようとする課題】
図４に示すように、マンション等において床板９０の所定位置に置かれる洗濯機用パン９１として、床板９０に形成した開口の直上にパン９１の底部９２に形成した開口部９３を位置させ、この開口部９３に、給水用の流量調整機能付水栓（水道用コンセント）９４と排水トラップを収容した平面視矩形の枠体９６を設置したものが提案されている（特願平１０−３６１５３０号明細書、図面参照）けれども、洗濯機９８の使用者の足元に水道用コンセント９４が位置することになるので水道用コンセント９４の流量調整ハンドル９９の開閉操作が面倒であるとともに、洗濯機９８に隣接して例えば洗面台が配置されている場合、洗濯機９８と洗面台の間の狭い空間内の床板９０上に水道用コンセント９４が位置することになり、流量調整ハンドル９９の開閉操作が更に面倒になる。
【０００３】
この発明は、開閉操作し難い場所に設置される水道用コンセントを容易に操作できる水道用コンセントの流量調整遠隔操作機構を提供することを目的とする。
【０００４】
【課題を解決するための手段】
上記目的を達成するために、この発明は、床に設置され、洗濯機の給水ホースに接続される水道用コンセントの流量調整遠隔操作機構であって、前記水道用コンセントは、流入口と流出口と栓棒を備えた弁ユニットとを有する水栓本体と、前記流出口に設けられて前記各給水ホースが接続される給水用継手と、前記栓棒に接続されこの栓棒を回動して給水流量の調整ならびに止水を行うための流量調整部材とを備え、更に、この流量調整部材を遠隔操作するための遠隔操作部材を前記水道用コンセントとは別の位置に設けるとともに、前記流量調整部材と前記遠隔操作部材をワイヤで連動連結してあることを特徴としている（請求項１）。
この発明では、前記遠隔操作部材を洗濯機が設置される壁に取り付けてある一方、中央に前記流量調整部材の後端基部が嵌合可能に装着される嵌合穴を有する水道用コンセント用リールと、中央に前記遠隔操作部材の後端基部が嵌合可能に装着される嵌合穴を有する遠隔操作部材用のリールと、この遠隔操作部材用リールと前記水道用コンセント用リールを繋ぐワイヤと、水道用コンセント用リールの前記嵌合穴に連通する前方開口を有し、前記流量調整部材の回動操作に伴って前記水道用コンセント用リールが前記栓棒の軸芯に一致する前記嵌合穴の中心軸まわりに回動するのを支持する水道用コンセント用支持板と、遠隔操作部材用リールの前記嵌合穴に連通する前方開口を有し、前記遠隔操作用部材の回動操作に伴って前記遠隔操作部材用リールが前記嵌合穴の中心軸まわりに回動するのを支持する遠隔操作部材用支持板とを備え、しかも、前記水道用コンセント用支持板は、水道用コンセント用リールの前記嵌合穴に連通可能な位置に前記栓棒の前端部が挿通可能な後方開口を有するのが好ましい（請求項２）。
【０００５】
【発明の実施の形態】
以下この発明の実施の形態について説明する。なお、この発明はそれによって限定されるものではない。
【０００６】
図１〜図３は、建屋内の洗濯機の設置床に形成された開口に嵌め込まれた枠体に二つの開口を形成し、一方の開口に流量調整ハンドルを配置するとともに、他方の開口に洗濯機の給水ホースの継手が着脱自在に接続される給水用継手を配置してなる水道用コンセントを用いた場合のこの発明の第１の実施形態を示す。
【０００７】
図１〜図３において、１は、給水用の水道用コンセントで、洗濯機２が設置される床３に形成された開口４に嵌め込まれた枠体５と、横長の水栓本体６と、洗濯機２の給水ホース２ａの継手７が着脱自在に接続される給水用継手８と、給水流量の調整ならびに止水を行うための流量調整ハンドル９を主として備えている。
【０００８】
更に、前記水栓本体６には水流入口１０が形成され、この水流入口１０は給水配管１１に接続されている。
【０００９】
１２は水流出口で、水栓本体６の前面における一方側に形成されたネジ穴ａで構成されている。この水流出口１２に前記給水用継手８がねじ止めされている。そして、前記水栓本体６は横置きの状態で、前記枠体５および給水配管１１間に介装されている。
【００１０】
また、１３は、弁部１４とこのケース１５とからなる弁ユニット（カートリッジ）で、ケース１５は水栓本体６の前面における他方側に形成されたネジ穴ｂに螺着されている。
【００１１】
前記弁部１４は、セラミック製の固定弁体（固定ディスク）１６と、セラミック製の可動弁体（可動ディスク）１７とで構成される。
【００１２】
１８は栓棒で、ケース１５内に挿入されており、前端部１８ａに流量調整ハンドル９が固着される。すなわち、アウターセレーション２２が形成されている前端部１８ａを有するとともに、中央にビス２３に螺合するねじ孔２４を有する。一方、流量調整ハンドル９は、直方体形状の後端基部９ａと、前端部９ｂと、中間部９ｃとよりなり、中央を貫通するビス挿通孔２５を有するとともに、挿通孔２５の後端基部９ａの位置にアウターセレーション２２に係合するインナーセレーション２０を有する。
【００１３】
栓棒１８の後端部１８ｂの平面視円形の底面には、可動ディスク１７の前面に形成された係合用凹入部２７に嵌合可能な形状の突片２８が一体成形されている。そして、栓棒１８の中間位置に設けたリング状のスベリパッキン２９がケース１５のパッキン受け部３０に当接することによって栓棒１８が回転できるように構成されている。
【００１４】
次に、洗濯機２の給水ホース２ａの接続機構について説明する。
【００１５】
前記継手８は、開口ｃの周囲にフランジ４２を有し、このフランジ４２の奥に周溝４３が設けられており、更に、内部に小径部分３４の径より幾らか大きな直径を持つ球形状の弁体４４を有し、この弁体４４および弁体４４より上流側に位置する中央筒部３５間にバネ体３６が介挿されている。なお、ｄは、枠体５の裏面５ａの一方側に設けた継手８用の開口で、継手８はその先端部が床３から突出しない状態で穴ｄに挿入されている。また、ｅは、枠体５の裏面５ａの他方側に設けた流量調整用レバー９の中間部９ｃのための開口で、レバー９も床３から突出しない状態で開口ｅに位置している。
【００１６】
一方、洗濯機２の給水ホース２ａの継手７は同心円状に配置される２重の筒体５２，５５、小球５３…及び前記内側の筒体５５の中心軸上に配置される押し棒５４から成っており、外側の筒体５２は、内側の筒体５５に対して図中のＦの方向に摺動できるように構成されている。前記内側の筒体５５には、内周の方が外周よりも小さい開口を持つ４つの貫通穴ｔが穿設されており、この４つの穴ｔに内周の開口よりも少し大きい直径を持つ前記小球５３…が嵌装されている。また、この小球５３…は、それぞれ前記外側の筒体５２によって内側に押圧されるようになっている。
【００１７】
洗濯機２の給水ホース２ａを水栓本体６に装着するときは、継手７の外側の筒体５２を矢印Ｆの方向に摺動させ、前記小球５３…に対する押圧力を解除した状態でこれを水栓本体６の水流出口１２に螺着された継手８に嵌入する。このとき、前記小球５３…は前記周溝４３上に位置し、前記外側の筒体５２を矢印Ｆと逆の方向に（つまり元の位置へ）摺動させると前記小球５３…は再び内側に押圧されて周溝４３内においてフランジ４２を強固に掴持するようになると共に、前記押し棒５４は継手３３内に組み込まれた弁体４４を押す。このため水栓本体６の水流出口１２から給水ホース２ａへ水を供給できるようになる。
【００１８】
逆に、前記給水ホース２ａと水栓本体６の接合を解除するときには、継手５１の外側の筒体５２を矢印Ｆの方向に摺動させると、前記小球５３…による掴持力が解除されて、給水ホース２ａの継手７は容易に水栓本体６の水流出口１２に螺着された継手８から挿脱できると共に、前記押し棒５４による弁体４４の押圧も解除される。
【００１９】
つまり、上記構成によって継手７，８同士を着脱するときに極めて容易であると共に、洗濯機２への給水が終了した後に、継手７，８の離脱時にたとえレバー９を閉にするのを忘れて、これが全開の状態であったとしても、弁体４４が水圧およびバネ体３６の弾性力によって継手３３の開口ｃを閉じるために、継手８から水が噴出するなどの事故を防ぐことができる。
【００２０】
次に、この発明の特徴的構成について説明する。
【００２１】
５９は、水道用コンセント１の流量調整ハンドル９を遠隔操作するための遠隔操作ハンドルで、洗濯機２が設置される壁１０１に取り付けてある。そして、流量調整ハンドル９と遠隔操作ハンドル５９をプッシュプルワイヤ１００で連結してある。７０は、プッシュプルワイヤ１００を覆う保護用のビニールパイプである。
【００２２】
前記遠隔操作ハンドル５９は流量調整ハンドル９と同一形状を有する。６１は、リング状の水道用コンセント用のリールで、中央に流量調整ハンドル９の前記後端基部９ａが嵌合可能に装着される正面視矩形の嵌合穴６２を有する。
【００２３】
６３は、リング状の遠隔操作レバー用のリールで、中央に遠隔操作ハンドル５９の後端基部５９ａが嵌合可能に装着される正面視矩形の嵌合穴６４を有する。
【００２４】
６５は、水道用コンセント用支持板で、水道用コンセント用リール６１の嵌合穴６２に連通する前方開口６６を有する前蓋６７と、栓棒１８の前記前端部１８ａが挿通可能な後方開口６８を有する後蓋６９とよりなる。更に、前蓋６７は、前方開口６６と同心円の環状溝６７ａを有する一方、後蓋６９は、後方開口６８と同心円の環状溝６８ａを有する。
【００２５】
この前蓋６７と後蓋６９は、環状溝６８ａにリール６１を載せた後リール６１を前蓋６７で覆うことにより、リール６１が環状溝６７ａ，環状溝６８ａによって形成される空間に収容される。これにより、流量調整ハンドル９の回動操作に伴って水道用コンセント用リール６１が栓棒１８の軸芯Ｚまわりに回動する。
【００２６】
７１は、遠隔操作ハンドル用支持板で、水道用コンセント用支持板６５と同一形状を有する。異なる点は、遠隔操作ハンドル用支持板７１の後蓋が、水道用コンセント用支持板６５の後蓋６９のような後方開口６８を持たない点である。すなわち、遠隔操作ハンドル用支持板７１の後蓋は、正面視円形の溝を有するだけである。
【００２７】
水道用コンセント用支持板６５は取付部７７を介して水栓本体６の前面上に固定される。この取付部７７は四隅に所定高さの固定部７８を有する。すなわち、支持板６５は、水道用コンセント用支持板６５の固定部７８に対応する位置に設けた四つのねじ挿通孔７９を介して、固定部７８に設けたねじ孔８０にビス８１止めされる。
【００２８】
同様に、遠隔操作ハンドル用支持板７１もねじ孔８１とビス（図示せず）を用いて洗濯機２が設置される壁１０１に取り付けてある。更に、遠隔操作ハンドル用支持板７１は、カバー体８２で覆われる。
【００２９】
而して、流量調整ハンドル９と遠隔操作ハンドル５９をプッシュプルワイヤ１００で連結したので、流量調整ハンドル９が回動操作の不便な場所に取り付けられていても、遠隔操作ハンドル５９を操作し易い場所に設置することにより、遠隔操作ハンドル５９を回動させるだけで、遠隔操作ハンドル５９の回動操作に連動して流量調整ハンドル９が同じだけ回動させることができ、所定の給水を容易に行えるとともに、容易に止水できる。
【００３０】
【発明の効果】
以上説明したように、この発明は、開閉操作し難い場所に設置される水道用コンセントを容易に操作できる水道用コンセントの流量調整遠隔操作機構を提供することができる効果がある。
【図面の簡単な説明】
【図１】  この発明の一実施形態における使用状態を示す斜視図である。
【図２】  上記実施形態における全体構成説明図である。
【図３】  上記実施形態における要部構成説明図である。
【図４】  従来例における使用状態を示す斜視図である。
【符号の説明】
１…水道用コンセント、２…洗濯機、２ａ…給水ホース、３…床、６…水栓本体、８…給水用継手、９…流量調整ハンドル、９ａ…後端基部、１０…水流入口、１２…水流出口、１３…弁ユニット、１８…栓棒、７…給水ホースの継手、１８ａ…栓棒の前端部、５９…遠隔操作ハンドル、１００…プッシュプルワイヤ、１０１…壁、Ｚ…軸芯。
【図１】
0004540821.tif 000002
【図２】
0004540821.tif 000003
【図３】
0004540821.tif 000004
【図４】
0004540821.tif 000005